(57)【要約】【課題】クリップで挟んだ被挟持物がズレ難く、さらにクリップの後端部を押圧せずとも胸ポケット等の被挟持物を簡単に挟持することができる構造のクリップ付筆記具を提供することを目的とする。【解決手段】クリップの先端部に、前方へ向かい筒体の側面から離間する方向へ傾斜する傾斜面を設けると共に、傾斜面の後方に前端面及び後端面が筒体の側面に対して起立した状態である玉部を設け、且つ筒体の側面に、前方から後方へ向かって筒体の側面から離間する方向へ傾斜する逆傾斜面を有する膨出部を、クリップの傾斜面と対向した位置に設ける。【選択図】図２
2008137364.tif 000002
【特許請求の範囲】
【請求項１】
筆記具を構成する筒体の側面に設けた支持部にクリップを支承し、弾発部材により前記クリップの先端部を前記筒体の側面側へ常時弾発させる構造のクリップ付筆記具において、前記クリップの先端部に、前方へ向かい前記筒体の側面から離間する方向へ傾斜する傾斜面を設けると共に、該傾斜面の後方に前端面及び後端面が前記筒体の側面に対して起立した状態である玉部を設け、且つ前記筒体の側面に、前方から後方へ向かって該筒体の側面から離間する方向へ傾斜する逆傾斜面を有する膨出部を、前記クリップの傾斜面と対向した位置に設けたことを特徴とするクリップ付筆記具。
【請求項２】
前記玉部の前端面と前記膨出部の後端面とで、当該被挟持物を挟持することを特徴とする請求項１に記載のクリップ付筆記具。
【発明の詳細な説明】
【技術分野】
【０００１】
本発明は、クリップ付の筆記具に関し、さらに詳しくは、筆記具を構成する筒体の側面に設けた支持部にクリップを支承し、弾発部材によりクリップの先端部を筒体の側面側へ常時弾発させる構造のクリップ付筆記具に関する。
【背景技術】
【０００２】
従来からクリップ付筆記具では、実開昭５５−１４８９９０号公報に開示されているように、クリップの挟持力や耐用強度を向上させるために、コイルバネや板バネ等の弾発部材を用いることによって、クリップの先端部を軸筒の側面側へ常時弾発させる構造のものが存在する。この様な筆記具のクリップは、クリップの後方部を軸筒側へ押圧することで弾発部材を弾性変形させ、クリップの先端部を軸筒から離間して、クリップと軸筒との間に被挟持物を挟む構造である。またクリップは、被挟持物を点で挟んだ方が効率のよい挟持力が働くので、クリップの先端部にいわゆる玉部と呼ばれる突起を設けた構造が多く用いられる。
【特許文献１】「実開昭５５−１４８９９０号公報」
【発明の開示】
【発明が解決しようとする課題】
【０００３】
ところで前述したクリップの玉部は、例えば胸ポケットに装着した筆記具が抜け落ち難くするように、玉部の前端面及び後端面を筒体の側面に対して起立させた状態として、被挟持物に対して突起が引っ掛かり易く、ズレ難い形状とすることが望ましい。しかしながら、玉部の前端面を筒体の側面に対して起立させたものでは、クリップの後端部を押圧しないで被挟持物である胸ポケットへ挟持した場合に、クリップの突起の前端面がポケットの縁に当接して、被挟持物がクリップと軸筒との間へ進入することを妨げてしまったり、またポケットの生地を傷めてしまうという問題が生じてしまう。
【０００４】
本発明はこうした問題を鑑みて、クリップで挟んだ被挟持物がズレ難く、さらにクリップの後端部を押圧せずとも胸ポケット等の被挟持物を簡単に挟持することができる構造のクリップ付筆記具を提供することを目的とする。
【課題を解決するための手段】
【０００５】
本発明は、
「１．筆記具を構成する筒体の側面に設けた支持部にクリップを支承し、弾発部材により前記クリップの先端部を前記筒体の側面側へ常時弾発させる構造のクリップ付筆記具において、前記クリップの先端部に、前方へ向かい前記筒体の側面から離間する方向へ傾斜する傾斜面を設けると共に、該傾斜面の後方に前端面及び後端面が前記筒体の側面に対して起立した状態である玉部を設け、且つ前記筒体の側面に、前方から後方へ向かって該筒体の側面から離間する方向へ傾斜する逆傾斜面を有する膨出部を、前記クリップの傾斜面と対向した位置に設けたことを特徴とするクリップ付筆記具。
２．前記玉部の前端面と前記膨出部の後端面とで、当該被挟持物を挟持することを特徴とする１に記載のクリップ付筆記具。」である。
【０００６】
本発明において、クリップの先端部に設ける玉部と筒体に設ける膨出部との位置関係は、被挟持物の端部が膨出部の傾斜面を乗り越えた段階で、被挟持物の端部がクリップの玉部の下を通過できる状態に設定することが肝要である。またクリップの先端部の傾斜面と筒体の膨出部の逆傾斜面との位置関係は、被挟持物が筒体とクリップとの間に進入し易くさせるように、互いの斜面が対向する位置に設定する。またさらに、筒体の側面に、第二の膨出部をクリップの玉部に隣接させて設けることによって、クリップの挟持力をさらに向上させることもできる。この場合、第二の膨出部が被挟持物の進入を妨げないように、第二の膨出部の高さを前方にある膨出部の高さと同じかそれより低いものとする。
【０００７】
尚、玉部の前端面及び後端面は、筒体の側面に対して起立した状態とし、具体的には筒体の側面に対して５０度〜９０度の傾きに設定するとよい。またクリップの先端部の傾斜面及び筒体の膨出部の逆傾斜面は、筒体の側面に対して５度〜３０度の傾きに設定するとよい。
【発明の効果】
【０００８】
本発明によるクリップ付筆記具は、筒体に設けた膨出部の逆傾斜面が被挟持物をクリップと筒体との間に進入させる案内役となるので、クリップの玉部の前端面が被挟持物の進入の妨げにならず、クリップの後端部を押圧せずとも被挟持物をクリップと筒体との間に滑り込ませるように挟持することができるものとなる。また、クリップの玉部の前端面及び後端面が筒体の側面に対して起立させてあることから、挟持した状態で玉部が被挟持物に引っ掛かかり易くズレ難いものとなる。また、玉部の前端面と膨出部の後端面との間に被挟持物を挟持させることにより、さらに強固に挟持を行うことができるものとなる。
【発明を実施するための最良の形態】
【０００９】
次に図面を参照しながら、本発明のクリップ付筆記具の実施例を説明するが、本発明は以下の実施例に限定されるものではない。また図中の同じ部材、同じ部品については、同じ符号としてある。本実施例では、筆記先端がある側を前方とし反対側を後方として表現する。
【００１０】
図１は本発明の第一の実施例であるクリップ付筆記具の側面図であり、図２，図３は本発明の要部斜視図である。図２はクリップを閉じた状態で、図３はクリップを開いた状態である。筆記具１は軸筒２を筒体である前軸３と後軸４とで構成し、後軸４の後部にクリップ５を配設してある。クリップ５は表面板５ａと表面板５ａから後軸４に向かって垂設した側面板５ｂとを有し、側面板５ｂに形成した丸孔５ｃを後軸４に形成した支持部４ａの支軸４ｂに軸支させると共に、後軸４の後部に設けた平地部４ｃと表面板５ａの裏面との間へ弾性部材である、コイルスプリング６を配設し、クリップ５の先端部５ｄを後軸の側面に常時弾発させて当接してある。筆記具１は後軸４の後部に配設したスライダー１ａを摺動させることで、前軸３の先端開口部３ａから筆記先端であるボールペンチップ（図示せず）を出没させることができる。
【００１１】
また、図２，図３に示すように、クリップ５の先端部５ｄには、傾斜面５ｅと傾斜面５ｅの後方に位置する玉部５ｆを設けてある。玉部５ｆは後軸４の側面に対して起立した前端面５ｇと後端面５ｈとを有している。また後軸４の側面には、クリップ５の傾斜面５ｅと対向する位置に逆傾斜面４ｅを位置させた膨出部４ｆを形成してある。図４は本実施例の玉部近傍を側面から見た拡大図である。傾斜面５ｅは後軸４の側面と平行する仮想線Ｌに対して、前方から後方へ向かって２０度の角度で緩やかに傾斜させてある。逆傾斜面４ｅは後軸４の側面に対して、後方から前方へ向かって１０度の角度で緩やかに傾斜させてある。また玉部５ｆは前端面５ｇと後端面５ｈとが後軸４の側面に対して、対称的に６０度で傾斜させてある。尚、前端面５ｇと膨出部４ｆの後端面４ｇとは平行するように隣接させてある。
【００１２】
図５は被挟持物である胸ポケットを、後軸とクリップとの間に滑り込ませるように差し込んで挟持する時の図である。図５に示すように被挟持物である胸ポケット１０は、逆傾斜面４ｅによってクリップ５の傾斜面５ｅを押し開きながら玉部５ｆの下へ滑り込み、クリップ５と後軸４との間に入り込み挟持される。図６はクリップで被挟持物を挟持した状態の図である。図６の状態でクリップ５の先端部５ｄには、コイルスプリング（図示せず）の弾発力による矢印Ａの力が掛かっており、胸ポケット１０はクリップ５の玉部５ｆと後軸４の側面との間に挟持され、さらに玉部５ｆの前端面５ｇと膨出部４ｆの後端面４ｇとの間で挟持される。この様にして筆記具を胸ポケットに装着した状態にすると、胸ポケットを挟持しているクリップが簡単にズレることはないので筆記具が簡単に脱落してしまう心配がなかった。しかしながら、図７に示すように、指でクリップ５の後端部５ｉを後軸４の側面方向へ押圧することで、コイルスプリング６を圧縮し、クリップ５を開いて胸ポケットから簡単に取り外すことができる。
【００１３】
図８は第二の実施例の要部であるクリップ先端近傍の図で、クリップで被挟持物を挟持した状態の図である。後軸４に形成した膨出部４ｆの後方で且つクリップ５の玉部５ｆの後方にて隣接した位置となる箇所に第二の膨出部４ｈを設けてある以外は前述の第一の実施例と同様である。第二の膨出部４ｈの高さは膨出部４ｆの高さより低く形成してある。したがって、クリップ５と後軸４との間に入り込む胸ポケット１０の進入を第二の膨出部４ｈが妨げてしまうことはなかった。尚、第二の膨出部４ｈの前端面４ｉと後端面４ｊとは後軸４の側面に対して６０度で傾斜させている。
【産業上の利用可能性】
【００１４】
本願発明によるクリップ付筆記具は、クリップを軸筒の側面に付設したもの以外にも、クリップを筆記先端部を保護するキャップの側面に付設したボールペンや万年筆あるいはマーカー等の種々の筆記具に用いることができる。
【図面の簡単な説明】
【００１５】
【図１】第一の実施例であるクリップ付筆記具の側面図である。
【図２】要部斜視図で、クリップを閉じた状態である。
【図３】要部斜視図で、クリップを拡げた状態である。
【図４】第一の実施例の玉部近傍を側面から見た拡大図である。
【図５】被挟持物である胸ポケットを、後軸とクリップとの間に滑り込ませるように差し込んで挟持する時の図である。
【図６】クリップで被挟持物を挟持した状態の図である。
【図７】クリップの後端部を押圧して、クリップを開く時の図である。
【図８】第二の実施例の要部であるクリップ先端近傍の図で、クリップで被挟持物を挟持した状態の図である。
【符号の説明】
【００１６】
１…筆記具、１ａ…スライダー、２…軸筒、３…前軸、３ａ…先端開口部、
４…後軸、４ａ…支持部、４ｂ…支軸、４ｃ…平地部、４ｅ…逆傾斜面、
４ｆ…膨出部、４ｇ…後端面、４ｈ…第二の膨出部、４ｉ…前端面、
４ｊ…後端面、
５…クリップ、５ａ…表面板、５ｂ…側面板、５ｃ…丸孔、５ｄ…先端部、
５ｅ…傾斜面、５ｆ…玉部、５ｇ…前端面、５ｈ…後端面、５ｉ…後端部、
６…コイルスプリング、
１０…胸ポケット、
【図１】
2008137364.tif 000003
【図２】
2008137364.tif 000004
【図３】
2008137364.tif 000005
【図４】
2008137364.tif 000006
【図５】
2008137364.tif 000007
【図６】
2008137364.tif 000008
【図７】
2008137364.tif 000009
【図８】
2008137364.tif 000010